(57)【要約】【課題】  本発明は、構造を簡素化させた高強度のシャーシ構造を形成できるようにする。【解決手段】  本発明は、基板に対してほぼ垂直に立った電池ケース用接続端子１３１、１３２が一体に取り付けられたメイン基板１３０と、メイン基板１３０を取り付けるための基板保持部分１２５と、当該メイン基板１３０が取り付けられた際に当該メイン基板１３０の周囲を囲うように基板保持部分１２５と一体形成されてなる前方向側壁部１２０及び右方向側壁部１２１とを有し、電池ケース用接続端子１３１、１３２を右方向側壁部１２１の外側に突出した状態で取り付けるための穴１２２、１２３が当該右方向側壁部１２１に形成されたセットシャーシ１１８とを具え、メイン基板１３０の電池ケース用接続端子１３１、１３２を右方向側壁部１２１の穴１２２、１２３に潜らせた状態で煽り入れることにより当該メイン基板１３０を当該セットシャーシ１１８に取り付けるようにする。【選択図】        図１
2006005083.tif 000002
【特許請求の範囲】
【請求項１】
基板周辺の所定位置に当該基板に対してほぼ垂直に立った状態の電池用接続端子が一体に取り付けられたメイン基板と、
上記メイン基板を取り付けるための基板保持部分と、当該メイン基板が取り付けられた際に当該メイン基板の周囲を囲うように上記基板保持部分と一体形成されてなる側壁部とを有し、上記電池用端子を上記側壁部の外側に突出した状態で取り付けるための穴が当該側壁部に形成されたセットシャーシと
を具え、
上記メイン基板の上記電池用接続端子を上記側壁部の穴に潜らせた状態で煽り入れることにより当該メイン基板を当該セットシャーシに取り付ける
ことを特徴とするシャーシ構造。
【請求項２】
上記メイン基板は、上記電池用接続端子の先端部分が上記シャーシフレームの上記側壁部に外側から当接された状態で取り付けられる
ことを特徴とする請求項１に記載のシャーシ構造。
【請求項３】
上記シャーシフレームは、上記メイン基板を取り付けるための上記基板保持部分には当該メイン基板よりも小さい穴が形成されている
ことを特徴とする請求項１に記載のシャーシ構造。
【請求項４】
筐体ケースの内部に取り付けられた特定のシャーシ構造を有する電子機器であって、
基板周辺の所定位置に当該基板に対してほぼ垂直に立った状態の電池用接続端子が一体に取り付けられたメイン基板と、
上記メイン基板を取り付けるための基板保持部分と、当該メイン基板が取り付けられた際に当該メイン基板の周囲を囲うように上記基板保持部分と一体形成されてなる側壁部とを有し、上記電池用端子を上記側壁部の外側に突出した状態で取り付けるための穴が当該側壁部に形成されたセットシャーシと
を具え、
上記メイン基板の上記電池用接続端子を上記側壁部の穴に潜らせた状態で煽り入れることにより当該メイン基板を当該シャーシフレームに取り付ける
ことを特徴とする電子機器。
【請求項５】
上記メイン基板は、上記電池用接続端子の先端部分が上記シャーシフレームの上記側壁部に外側から当接された状態で取り付けられる
ことを特徴とする請求項４に記載の電子機器。
【請求項６】
上記シャーシフレームは、上記メイン基板を取り付けるための上記基板保持部分には当該メイン基板よりも小さい穴が形成されている
ことを特徴とする請求項４に記載の電子機器。
【発明の詳細な説明】
【技術分野】
【０００１】
本発明は、シャーシ構造及び電子機器に関し、例えばポータブルミニディスクプレーヤに適用して好適なものである。
【背景技術】
【０００２】
従来、電子機器としては、ネジ止め箇所を半減させると共に基板取り付け時の位置決めを容易にして当該基板とシャーシフレームとを取り付けるようにしたものがある（例えば、特許文献１参照）。
【特許文献１】特許第3484009号明細書
【０００３】
一方、図５に示すようにポータブルミニディスクプレーヤ１においては、上蓋カバー２及び下ケース３によってポータブルミニディスクプレーヤ１の全体的な外観が形成され、当該上蓋カバー２にはミニディスク等のディスクカートリッジ（図示せず）を装填するためのメディアホルダ４が一体に取り付けられることにより、上蓋カバー２とメディアホルダ４とが連動した状態で開閉動作を行うようになされている。
【０００４】
ここでポータブルミニディスクプレーヤ１では、ディスクカートリッジが挿入される方向を後方向とすると共に、ディスクカートリッジが排出される方向を前方向とし、さらにディスクカートリッジが挿入される挿入口にユーザが対峙した状態において向かって右側を右方向、左側を左方向として以下説明する。
【０００５】
下ケース３は、その左方向の周側面に複数の穴が形成されており、そこに各種操作ボタンが一体化された操作ボタン部１２を下ケース３の内側から取り付けることにより、当該周側面から操作ボタン部１２の各種操作ボタンだけを僅かに突出するようになされている。また下ケース３には、メイン基板７を取り付けるためのベースとなる底面用取付板８がねじ止めされる。
【０００６】
この底面用取付板８は、断面コ字状の電池ケース収納部８Ａが設けられており、その電池ケース収納部８Ａにはモールド製の電池ケース１１が内挿され、例えば充電式のニッケル水素電池やリチウムイオン電池等が装填されるようになされている。
【０００７】
また底面用取付板８は、その側面に対して操作系スイッチ基板１３の組み込まれている左側取付板１０が一体化された構成を有し、当該左側取付板１０の端部では左支点板９がリベット１４でカシメられることにより当該端部を支点としてメディアホルダ４の開閉動作に合わせて回動し得るようになされている。
【０００８】
図６に示すようにメイン基板７は、底面用取付板８の底面部８Ａ上に載置された状態で、その上からＬ字状でなる右側取付板６によってメイン基板７の周囲が覆われつつ、右側取付板６の糊代部６Ａ〜６Ｃと底面部８Ａとの間で挟み込まれた状態でビス１５〜１７によりねじ止めされる。
【０００９】
なお、このとき右側取付板６は糊代部６Ａ〜６Ｃによってメイン基板７を挟み込む形で底面用取付板８の底面部８Ａに対してビス１５〜１７によりねじ止めされるだけであって、当該ビス１５〜１７をメイン基板７に貫通させるわけではない。
【００１０】
これによりメイン基板７は、右側取付板６の糊代部６Ａ〜６Ｃと底面用取付板８の底面部８Ａとの間で挟み込まれることによって当該底面用取付板８に対して取り付け固定される。
【００１１】
右側取付板６の前方向部分には、上蓋ケース２を開く際のオープンスライダ（図示せず）に対するスライド操作に連動したロック片１８が取り付けられている。また右側取付板６の右方向部分における端部には、上述した左支点板９と対をなす右支点板５がリベット１９でカシメられ、当該右支点板５に取り付けられたばね（図示せず）の付勢力によって上蓋ケース２を開かせる方向に付勢するようになされている。
【発明の開示】
【発明が解決しようとする課題】
【００１２】
ところでかかる構成のポータブルミニディスクプレーヤ１においては、底面用取付板８の底面部８Ａ上にメイン基板７を取り付けるに対し、右支点板５が取り付けられた右側取付板６をビス１５〜１７によってねじ止めする必要があるため、部品点数が非常に多くなって構成が複雑化するだけでなく作業工数も多くなって生産効率を向上し得ないという問題があった。
【００１３】
本発明は以上の点を考慮してなされたもので、構造を簡素化させると共に高強度のシャーシ構造及び当該シャーシ構造を具えた電子機器を提案しようとするものである。
【課題を解決するための手段】
【００１４】
かかる課題を解決するため本発明のシャーシ構造においては、基板周辺の所定位置に当該基板に対してほぼ垂直に立った状態の電池用接続端子が一体に取り付けられたメイン基板と、メイン基板を取り付けるための基板保持部分と、当該メイン基板が取り付けられた際に当該メイン基板の周囲を囲うように基板保持部分と一体形成されてなる側壁部とを有し、電池用端子を側壁部の外側に突出した状態で取り付けるための穴が当該側壁部に形成されたセットシャーシとを具え、メイン基板の電池用接続端子を側壁部の穴に潜らせた状態で煽り入れることにより当該メイン基板を当該セットシャーシに取り付けるようにする。
【００１５】
このシャーシ構造では、セットシャーシの基板保持部分と側壁部との一体化構造により部品点数の減少を図りながら強度を上げることができ、またメイン基板の電池用接続端子を側壁部の穴に潜らせた状態で煽り入れることによりメイン基板を基板保持部分に押さえ付ける形で取り付け固定することができるので作業性の向上を図ることもできる。
【００１６】
また本発明の電子機器においては、筐体ケースの内部に取り付けられた特定のシャーシ構造を有する電子機器であって、基板周辺の所定位置に当該基板に対してほぼ垂直に立った状態の電池用接続端子が一体に取り付けられたメイン基板と、メイン基板を取り付けるための基板保持部分と、当該メイン基板が取り付けられた際に当該メイン基板の周囲を囲うように基板保持部分と一体形成されてなる側壁部とを有し、電池用端子を側壁部の外側に突出した状態で取り付けるための穴が当該側壁部に形成されたセットシャーシとを具え、メイン基板の電池用接続端子を側壁部の穴に潜らせた状態で煽り入れることにより当該メイン基板を当該シャーシフレームに取り付けるようにする。
【００１７】
この電子機器では、セットシャーシの基板保持部分と側壁部との一体化構造により部品点数の減少を図りながら強度を上げることができ、またメイン基板の電池用接続端子を側壁部の穴に潜らせた状態で煽り入れることによりメイン基板を基板保持部分に押さえ付ける形で取り付け固定することができるので作業性の向上を図ることもできる。
【発明の効果】
【００１８】
本発明によれば、セットシャーシの基板保持部分と側壁部との一体化構造により部品点数の減少を図りながら強度を上げることができ、またメイン基板の電池用接続端子を側壁部の穴に潜らせた状態で煽り入れることによりメイン基板を基板保持部分に押さえ付ける形で取り付け固定することができるので作業性の向上を図ることもでき、かくして構造を簡素化させると共に高強度のシャーシ構造及び当該シャーシ構造を具えた電子機器を実現することができる。
【発明を実施するための最良の形態】
【００１９】
以下、図面について、本発明の一実施の形態を詳述する。
【００２０】
（１）ポータブルミニディスクプレーヤの全体構成
図Ａとの対応部分に同一符号を付して示す図１において、１００は全体として本発明のポータブルミニディスクプレーヤを示し、上蓋カバー２及び下ケース１０３によって当該ポータブルミニディスクプレーヤ１００の全体的な外観が形成され、当該上蓋カバー２にはミニディスク等のディスクカートリッジ（図示せず）を装填するメディアホルダ４が一体に取り付けられ、上蓋カバー２とメディアホルダ４とが連動した状態で開閉動作を行うようになされている。
【００２１】
ここでポータブルミニディスクプレーヤ１００では、ディスクカートリッジが挿入される方向を後方向とすると共に、ディスクカートリッジが排出される方向を前方向とし、さらにディスクカートリッジが挿入される挿入口にユーザが対峙した状態において向かって右側を右方向、左側を左方向として以下、説明する。
【００２２】
下ケース１０３は、その底面１０３Ａのほぼ中央に複数の貫通孔１０４が形成されており、そこに各種操作ボタンの一体化された操作ボタン部１１２が取り付けられることにより、当該底面１０３Ａから外側へ向かって操作ボタン部１１２の各種操作ボタンが僅かに突出するようになされている。また下ケース３には、メイン基板１３０を取り付けるためのベースとなるセットシャーシ１１８が操作ボタン部１１２の上からねじ止めされる。
【００２３】
ここで図２に示すようにセットシャーシ１１８は、断面コ字状の電池ケース収納部１１８Ａが設けられると共に、メイン基板１３０を載置して取り付けるべき基板保持部分１２５の中央部分に当該メイン基板１３０よりも僅かに小さい矩形状の穴１２４が形成されており、セットシャーシ１１８自体の軽量化が図られていると共に当該基板保持部分１２５でメイン基板１３０を保持する。
【００２４】
これによりメイン基板１３０は、セットシャーシ１１８の穴１２４を介して操作ボタン部１１２と機械的及び電気的に接続し得るようになされている。
【００２５】
またセットシャーシ１１８（図１）は、電池ケース収納部１１８Ａにモールド製の電池ケース１１が内挿され、例えば充電式のニッケル水素電池やリチウムイオン電池等が装填されるようになされている。
【００２６】
さらにセットシャーシ１１８には、その左方向の側面端部に対して左支点板９がリベット１４でカシメられることにより取り付けられ、当該左支点板９が側面端部を支点としてメディアホルダ４の開閉動作に合わせて回動し得るようになされている。
【００２７】
ところでセットシャーシ１１８は、板状部材が所定形状に折り曲げられること若しくは成形等によって電池ケース収納部１１８Ａとほぼ同じ高さでなる前方向側壁部１２０及び右方向側壁部１２１が形成され、当該前方向側壁部１２０及び右方向側壁部１２１が従来のポータブルミニディスクプレーヤ１（図５）における右側取付板６と同様にメイン基板１３０の周囲を覆うようになされている。
【００２８】
前方向側壁部１２０には、上蓋ケース２を開く際のオープンスライダ（図示せず）に対するスライド操作に連動したロック片１８が取り付けられる。また右方向側壁部１２１における後方端部には、上述した左支点板９と対をなす右支点板５がリベット１９でカシメられ、当該右支点板５に取り付けられたばね（図示せず）の付勢力によってメディアホルダ４を開かせる方向に付勢するようになされている。
【００２９】
また右方向側壁部１２１には、当該右方向側壁部１２１及び基板保持部分１２５の双方に跨がった状態に切り欠かれた穴１２２及び１２３が形成されている。
【００３０】
メイン基板１３０は、端部に取り付けられたヘッドフォンジャック端子１３０Ａが一体に形成されると共に、右方向端部の所定位置に２個の電池ケース用接続端子１３１及び１３２が一体に取り付けられ、セットシャーシ１１８上に載置される際、右方向側壁部１２１に形成された穴１２２及び１２３に当該電池ケース用接続端子１３１、１３２が係合されるようになされている。
【００３１】
（２）電池ケース用接続端子の構造
図３（Ａ）及び（Ｂ）に示すようにメイン基板１３０に対してほぼ垂直に立った状態に取り付けられた電池ケース用接続端子１３１及び１３２は断面Ｌ字状に形成されており、下ケース１０３の外側から取り付けられる図示しない乾電池ケースの２個の電気的接点と接触させるための凸状でなる端子部１３１Ａ及び１３２Ａが外側に向けた状態で、かつメイン基板１３０の下面１３０Ａ及び端面１３０Ｂに対してＬ字状部分が押し付けられた状態で取り付け固定されている。
【００３２】
この場合、図４（Ａ）に示すように電池ケース用接続端子１３１及び１３２が取り付けられたメイン基板１３０をセットシャーシ１１８の基板保持部分１２５に取り付けるには、まず作業者は電池ケース用接続端子１３１及び１３２の上方端部分１３１Ｂ及び１３２Ｂを右方向側壁部１２１の穴１２２及び１２３に対して斜め上方向から潜らせる（メイン基板１３０の動き「１」）。
【００３３】
そして作業者は、メイン基板１３０を矢印Ｐ方向へ傾けていくことにより（メイン基板１３０の動き「２」）、最終的には右方向側壁部１２１の穴１２２及び１２３に煽り入れるような形（メイン基板１３０の動き「３」）で取り付け得るようになされている。
【００３４】
これにより、図４（Ｂ）に示すように電池ケース用接続端子１３１及び１３２の上方端部分１３１Ｂ及び１３２Ｂが右方向側壁部１２１の側壁に押し付けられると共に、その状態が保持される限りにおいてメイン基板１３０自体もセットシャーシ１１８の基板保持部分１２５に対して押し付けられるようになされている。
【００３５】
なお、セットシャーシ１１８の右方向側壁部１２１には、当該右方向側壁部１２１及び基板保持部分１２５の双方に跨がった状態で切り欠かれた穴１２２及び１２３が形成されているため、メイン基板１３０が穴１２２及び１２３を介して基板保持部分１２５に取り付けられた際に、メイン基板１３０の電池ケース用接続端子１３１及び１３２が基板保持部分１２５の底面１２５Ａからはみ出ることを回避している。
【００３６】
メイン基板１３０がセットシャーシ１１８の基板保持部分１２５に押し付けられた状態では、端子部分１３１Ａ及び１３２Ａが乾電池ケースの電気的接点と接触されて当該端子部分１３１Ａ及び１３２Ａが押されたときであっても、上方端部分１３１Ｂ及び１３２Ｂが右方向側壁部１２１の側壁に当接されているので、電池ケース用接続端子１３１及び１３２が折れ曲がったり、メイン基板１３０から外れてしまう等の破損を未然に回避し得るようになされている。
【００３７】
なおメイン基板１３０は、ねじ１４０によりセットシャーシ１１８の基板保持部分１２５に対してネジ止め等されることにより、当該メイン基板１３０がセットシャーシ１１８に対して密着した状態で強固に取り付けられるようになされている。
【００３８】
さらに、メイン基板１３０には電池ケース用接続端子１３１及び１３２が一体に取付固定されているため、電池ケース用接続端子１３１及び１３２が乾電池ケースによって押されたときにはメイン基板１３０がセットシャーシ１１８の基板保持部分１２５に押え付けられた状態に保持されることになり、当該基板保持部分１２５から浮き上がることがない。
【００３９】
従ってセットシャーシ１１８では、前方向側壁部１２０及び右方向側壁部１２１に従来の右側取付板６（図５）のような糊代部６Ａ〜６Ｃが不要となり、その構造が一段と簡素化されている。またセットシャーシ１１８は、前方向側壁部１２０及び右方向側壁部１２１が折り曲げられた状態で一体に形成されているので、従来のように底面用取付板８と右側取付板６とが別部品となっている場合に比べて強度的にも優れている。
【００４０】
このようにメイン基板１３０が取り付けられたセットシャーシ１１８は、メディアホルダ４と一体に取り付けられた上蓋ケース２と、下ケース１０３との間に挟まれた状態でセットシャーシ１１８が下ケース１０３にネジ止め等されることにより、最終的な完成形としてのポータブルミニディスクプレーヤ１００が構成されることになる。
【００４１】
（３）動作及び効果
以上の構成において、ポータブルミニディスクプレーヤ１００のセットシャーシ１１８では板状部材を所定形状に折り曲げられること若しくは成形等によって前方向側壁部１２０及び右方向側壁部１２１を基板保持部分１２５と一体に形成するようにしたことにより、従来の底面用取付板８に対して右側取付板６をビス１５〜１７によってネジ止めする場合に比べて、部品点数を削減し得ると共に一段と簡素化することができる。
【００４２】
またセットシャーシ１１８では、前方向側壁部１２０及び右方向側壁部１２１を基板保持部分１２５と一体に形成するようにしたことにより、従来に比べて高強度化を図ることができ、かくして簡素な構成でありながら品質安定性を向上させることもできる。
【００４３】
さらにセットシャーシ１１８では、メイン基板１３０と一体に取り付けられたＬ字状の電池ケース用接続端子１３１及び１３２を右方向側壁部１２１の穴１２２及び１２３から煽り入れることにより基板保持部分１２５に当該メイン基板１３０が取り付けられるので、電池ケース用接続端子１３１及び１３２の上方端部分１３１Ｂ及び１３２Ｂが右方向側壁部１２１の側壁に押し付けられた状態で保持される。
【００４４】
これによりセットシャーシ１１８では、電池ケース用接続端子１３１及び１３２の端子部分１３１Ａ及び１３２Ａが乾電池ケースの電気的接点と接触されて当該端子部分１３１Ａ及び１３２Ａが押されることになったときでも、先端部分１３１Ｂ及び１３２Ｂが右方向側壁部１２１の側壁に当接されているので、電池ケース用接続端子１３１及び１３２が破損することを未然に防止し得ると共に強度向上に貢献することにもなる。
【００４５】
とくにセットシャーシ１１８は、電池ケース用接続端子１３１及び１３２の先端部分１３１Ｂ及び１３２Ｂが右方向側壁部１２１の側壁に当接されている状態では、電池ケース用接続端子１３１及び１３２とほぼ垂直に取り付けられているメイン基板１３０が基板保持部分１２５に対して押し付けられる形となり、当該メイン基板１３０を基板保持部分１２５に密着させた状態で取り付けることが容易になる。
【００４６】
このようにセットシャーシ１１８は、従来の右側取付板６（図Ａ）の機能を前方向側壁部１２０及び右方向側壁部１２１に併せ持ち、かつメイン基板１３０の電池ケース用接続端子１３１及び１３２を右方向側壁部１２１の穴１２２及び１２３に対して煽り入れることにより当該メイン基板１３０を基板保持部分１２５に押さえ付けることができるので、部品点数を増加させることなく取り付け構造の工夫によって高強度化を図ることができる。
【００４７】
またセットシャーシ１１８は、構造を簡素化すると共に、電池ケース用接続端子１３１及び１３２が一体になったメイン基板１３０と左支点板９及び右支点板５とが取り付けられた状態のアッセンブリーの状態であっても、部品点数が少なく、かつ構造が簡素であるためメンテナンス性も大幅に向上されている。
【００４８】
以上の構成によれば、ポータブルミニディスクプレーヤ１００のセットシャーシ１１８は、前方向側壁部１２０及び右方向側壁部１２１が基板保持部分１２５と一体に形成され、電池ケース用接続端子１３１及び１３２を右方向側壁部１２１の穴１２２及び１２３から煽り入れて基板保持部分１２５に当該メイン基板１３０を取り付けることができるので、メイン基板１３０の取り付けに必要な部品点数を減らして構造を簡素化しながら強度向上を図ることができる。
【００４９】
（４）他の実施の形態
なお上述の実施の形態においては、セットシャーシ１１８に穴１２４を設け操作ボタン部１１２と機械的かつ電気的にメイン基板１３０と接続するようにした場合について述べたが、本発明はこれに限らず、操作ボタン部１１２が下ケース１０３の側面部分に取り付けられる場合には、セットシャーシ１１８に穴１２４を形成する必要はなく、これにより強度向上を図るようにしても良い。
【００５０】
また上述の実施の形態においては、前方向側壁部１２０及び右方向側壁部１２１がセットシャーシ１１８と一体に形成されているようにした場合について述べたが、本発明はこれに限らず、右方向側壁部１２１だけが一体に形成されているようにしても良い。
【００５１】
さらに上述の実施の形態においては、本発明の電子機器としてポータブルミニディスクプレーヤ１００に適用するようにした場合について述べたが、本発明はこれに限らず、ＣＤ(Compact Disc)プレーヤ、カセットテープレコーダ等のメイン基板、セットシャーシ及び電池ケース用接続端子を有するものであれば、その他種々の電子機器に適用するようにしても良い。
【産業上の利用可能性】
【００５２】
本発明のシャーシ構造及び電子機器は、例えばセットシャーシにメイン基板を取り付ける際のシャーシ構造の簡素化及び強度向上を図る用途に適用することができる。
【図面の簡単な説明】
【００５３】
【図１】本発明におけるポータブルミニディスクプレーヤの構造を示す略線的斜視図である。
【図２】セットシャーシの構造を示す略線的斜視図である。
【図３】電池ケース用接続端子の取り付けられたメイン基板を示す略線図である。
【図４】セットシャーシとメイン基板との取り付け方法の説明に供する略線的である。
【図５】従来のポータブルミニディスクプレーヤの構造を示す略線的斜視図である。
【図６】従来のメイン基板の押さえ込み固定機構の説明に供する略線図である。
【符号の説明】
【００５４】
１、１００……ポータブルミニディスクプレーヤ、２……上蓋ケース、３……下ケース、４……メディアホルダ、５……右支点板、７、１３０……メイン基板、９……左支点板、１２、１１２……操作ボタン部、１１８……セットシャーシ、１２０……前方向側壁部、１２１……右方向側壁部、１２２、１２３……穴、１２４……穴、１２５……基板保持部分、１３１、１３２……電池ケース用接続端子。
【図１】
2006005083.tif 000003
【図２】
2006005083.tif 000004
【図３】
2006005083.tif 000005
【図４】
2006005083.tif 000006
【図５】
2006005083.tif 000007
【図６】
2006005083.tif 000008